(57)【要約】【課題】通信装置を所持しているにもかかわらず、緊急事態を通知できないような状況において、通信装置使用者の緊急事態を通知するメールを送信し、連絡を受けた人が通信装置の使用者の安否確認を行うきっかけをつくる通信装置等を提供すること。【解決手段】あらかじめ設定した期間に操作が無い場合に、あらかじめ設定したメールアドレスにメールを送信する事で、通信装置の所有者が通信装置の操作が不可能な状況である事を検知し、それを通知する。【選択図】図２
2009217482.tif 000002
【特許請求の範囲】
【請求項１】
自装置の操作が行われない状態が一定期間継続したことを検知し、
予め設定したメールアドレスに電子メールを送信することを特徴とする通信装置。
【請求項２】
タイマ設定値を設定されたタイマ機能部は、その値をタイマに設定しカウントダウンを開始し、前記タイマ機能部は、ボタン、開閉状態判定部および加速度センサからの操作信号があった場合には、タイマにタイマ設定値を再度設定しなおし、カウントダウンを開始し、タイマがタイムアウトするまでの間に操作信号が入力されないと、前記タイマ機能部はメール送信機能部にタイムアウトを通知し、それを受け取った前記メール送信機能部は、設定されているメールアドレスに対して電子メールを送信することを特徴とする請求項１記載の通信装置。通信装置、緊急事態通知方法およびプログラム
【請求項３】
通信装置が、自装置の操作が行われない状態が一定期間継続したことを検知し、
予め設定したメールアドレスに電子メールを送信することを特徴とする緊急事態通知方法。
【請求項４】
タイマ設定値を設定されたタイマ機能部が、その値をタイマに設定しカウントダウンを開始し、前記タイマ機能部が、ボタン、開閉状態判定部および加速度センサからの操作信号があった場合には、タイマにタイマ設定値を再度設定しなおし、カウントダウンを開始し、タイマがタイムアウトするまでの間に操作信号が入力されないと、前記タイマ機能部がメール送信機能部にタイムアウトを通知し、それを受け取った前記メール送信機能部が、設定されているメールアドレスに対して電子メールを送信することを特徴とする請求項３記載の緊急事態通知方法。
【請求項５】
通信装置に自装置の操作が行われない状態が一定期間継続したことを検知し、
予め設定したメールアドレスに電子メールを送信する処理を実行させることを特徴とするプログラム。
【請求項６】
タイマ設定値を設定されたタイマ機能部に、その値をタイマに設定しカウントダウンを開始し、前記タイマ機能部に、ボタン、開閉状態判定部および加速度センサからの操作信号があった場合には、タイマにタイマ設定値を再度設定しなおし、カウントダウンを開始し、タイマがタイムアウトするまでの間に操作信号が入力されないと、前記タイマ機能部にメール送信機能部にタイムアウトを通知し、それを受け取った前記メール送信機能部に、設定されているメールアドレスに対して電子メールを送信する処理を実行させることを特徴とする請求項５記載のプログラム。
【発明の詳細な説明】
【技術分野】
【０００１】
本発明は、通信装置において、あらかじめ設定した期間に操作が無い場合に、あらかじめ設定したメールアドレスにメールを送信する事で、通信装置の所有者が通信装置の操作が不可能な状況である事を検知し、それを通知する技術に関する。
【背景技術】
【０００２】
携帯電話機等の普及が進み、子供や高齢者までもがそれを所持するようになっている。
一方、核家族化や高齢化が進む中で高齢者の一人暮らしが増え、突然の病気や怪我などでどこにも連絡を取ることが出来ない状態に陥った場合にしばらく放置されてしまい、発見された時には病状や怪我がかなり悪化してしまっていたり、場合によっては亡くなってしまうというような不幸な事故も発生している。
【０００３】
関連技術として、ワイヤレスディスプレイを自動的に省電力動作モードから通常動作モードに復帰する技術が提案されている。その構成は、コンピュータは対象イベント登録／監視処理部と無線通信処理部とを備える。コンピュータでの特定イベントの発生を検知し、無線通信処理部はワイヤレスディスプレイに通知することによって、ワイヤレスディスプレイを省電力動作モードから通常動作モードへ自動的に復帰させる。またワイヤレスディスプレイはタッチパネル部の操作入力を監視し、一定時間以上の操作がない場合は表示部への電力供給を停止する（例えば、特許文献１参照）。
【特許文献１】特開２００２−３２３９４２号公報
【発明の開示】
【発明が解決しようとする課題】
【０００４】
しかしながら、上述の関連技術は、通信装置を所持しているにもかかわらず、緊急事態を通知できないような状況において、設定された時間、操作が行われない場合にあらかじめ設定しておいたメールアドレスに通信装置使用者の緊急事態を通知するメールを送信し、連絡を受けた人が通信装置の使用者の安否確認を行うきっかけをつくることが困難であるという問題があった。
【０００５】
本発明は、以上のような課題を解決するためになされたもので、通信装置を所持しているにもかかわらず、緊急事態を通知できないような状況において、設定された時間、操作が行われない場合にあらかじめ設定しておいたメールアドレスに通信装置使用者の緊急事態を通知するメールを送信し、連絡を受けた人が通信装置の使用者の安否確認を行うきっかけをつくることで、不幸な事故を減少させる通信装置、緊急事態通知方法およびプログラムを提供することを目的とする。
【課題を解決するための手段】
【０００６】
本発明の通信装置は、自装置の操作が行われない状態が一定期間継続したことを検知し、
予め設定したメールアドレスに電子メールを送信することを特徴とする。
【０００７】
また、本発明の緊急事態通知方法は、通信装置が、自装置の操作が行われない状態が一定期間継続したことを検知し、
予め設定したメールアドレスに電子メールを送信することを特徴とする。
【０００８】
また、本発明のプログラムは、通信装置に自装置の操作が行われない状態が一定期間継続したことを検知し、
予め設定したメールアドレスに電子メールを送信する処理を実行させることを特徴とする。
【発明の効果】
【０００９】
本発明によれば、一人暮らしのお年寄りなどが病気や怪我にみまわれ、その状況を通知できないような状況に陥った場合に、設定された期間、操作が行われない携帯電話機が自動的に通知を行うことで連絡を受けた家族等が携帯電話機の所有者の安否を確認するきっかけを作ることができる。
【発明を実施するための最良の形態】
【００１０】
以下、本発明の第一の実施の形態について図面を参照して詳細に説明する。まず、図１を用いて動作説明をする。
【００１１】
あらかじめ設定した期間をフローf１にて、タイマに設定する。タイマは設定されたタイマ値からカウントダウンし、タイマ値がゼロになった時点でタイムアウトとなる。
【００１２】
タイマのカウント開始後、フローf２にて操作の有無を判断し、操作があった場合にはフローf１に戻り再びタイマ値を設定しなおす。
【００１３】
フローf２にて操作が無いと判断した場合には、フローf3にてタイマがタイムアウトしているかの判定を行う。
【００１４】
タイマがタイムアウトしていない場合にはフローf２に戻り、以降フローf２〜ｆ３を繰り返す。フローｆ３にてタイムアウトを検出した場合には、フローｆ４にてあらかじめ設定しておいたメールアドレスに電子メールを送信し、フローｆ１に戻る。
【００１５】
このように、本実施の形態の携帯電話機は、携帯電話機の操作が行われない状態が設定した期間、継続したことを検知しメールを送信することで、携帯電話機の所有者が携帯電話機の操作が不可能な状況であることを通知することが可能となる。
【００１６】
図２を参照すると、メール送信機能部Ｂ１は制御機能部Ｂ３により設定されたメールアドレスを保持し、タイマ機能部Ｂ２からのタイムアウト通知を契機に保持していたメールアドレスにメールを送信する。
【００１７】
タイマ機能部Ｂ２は制御機能部Ｂ３によりタイマ設定値を保持すると共に、設定された値からタイマのカウントダウン開始し、タイマ値がゼロになった時点でメール送信機能部Ｂ１にタイムアウトを通知する。また、ボタンＢ４、開閉状態Ｂ５、加速度センサＢ６からの操作信号を受信し、操作がある場合にタイマ設定値をリロードし、再びリロードされた値からタイマのカウントダウンを実施する。
【００１８】
制御機能部Ｂ３はメール送信機能部Ｂ１へのメールアドレス設定を行う。ボタンＢ４および開閉状態Ｂ５は、ボタン操作や形態本体の開閉操作を検出し、操作信号としてタイマ機能部Ｂ２に通知する。加速度センサＢ６は、携帯電話機の移動を検出し、操作信号としてタイマ機能部Ｂ２に通知する。
【００１９】
図２を用いて動作を説明する。
まずメール送信機能部Ｂ１にメールアドレスを設定し、タイマ機能部Ｂ２にタイマ設定値を設定する。
【００２０】
タイマ設定値を設定されたタイマ機能部Ｂ２は、その値をタイマに設定しカウントダウンを開始する。タイマ機能部Ｂ２は、ボタンＢ４、開閉状態Ｂ５および加速度センサＢ６からの操作信号があった場合には、タイマにタイマ設定値を再度設定しなおし、カウントダウンを開始する。
【００２１】
タイマがタイムアウトするまでの間に操作信号が入力されないと、タイマ機能部Ｂ２はメール送信機能部Ｂ１にタイムアウトを通知し、それを受け取ったメール送信機能部Ｂ１は、設定されているメールアドレスに対してメールを送信する。
【００２２】
なお、上述する各実施の形態は、本発明の好適な実施の形態であり、本発明の要旨を逸脱しない範囲内において種々変更実施が可能である。例えば、携帯電話機の機能を実現するためのプログラムを装置に読込ませて実行することにより装置の機能を実現する処理を行ってもよい。さらに、そのプログラムは、コンピュータ読み取り可能な記録媒体であるＣＤ−ＲＯＭまたは光磁気ディスクなどを介して、または伝送媒体であるインターネット、電話回線などを介して伝送波により他のコンピュータシステムに伝送されてもよい。また、各装置の機能が他の装置によりまとめて実現されたり、追加の装置により機能が分散されて実現される形態も本発明の範囲内である。
【図面の簡単な説明】
【００２３】
【図１】本発明の実施の形態に係る機能ブロック図である。
【図２】本発明の実施の形態に係る全体の動作を示すフローチャートである。
【符号の説明】
【００２４】
Ｂ１    メール送信機能部
Ｂ２    タイマ機能部
Ｂ３    制御機能部
Ｂ４    ボタン
Ｂ５    開閉状態
Ｂ６    加速度センサ
【図１】
2009217482.tif 000003
【図２】
2009217482.tif 000004